(57)【要約】【課題】緊急時連絡情報や持病通知情報などの個人情報は、常時は第３者に対して隠して保存し、緊急時には速やかにその個人情報を第３者に公開する必要が求められている。【解決手段】第３者が容易に目に付く場所に、求められる所定の一つまたは複数の図柄（個人情報を保存し緊急時に開示する意思表示）を第３者に積極的に認識可能に提示し、緊急時には、その所定の図柄で提示した個人情報案内提示物からの情報を通して、隠して保存している個人情報を公開可能に案内する個人情報案内提示物を提供する。【選択図】図１
2013186431.tif 000002
【特許請求の範囲】
【請求項１】
個人情報案内提示物には、
A）特定の図柄を選んで提示する
Ｂ）複数の図柄を用いて提示する
の少なくとも何れかの方法で所定の図柄を提示し、さらに、少なくとも個人情報特定情報、連絡先、個体特性情報を含める個人情報を該個人情報案内提示物とは別な場所に保存して、該個人情報案内提示物に所定の操作にて該個人情報の保存位置情報が示される個人情報案内提示物。
【請求項２】
前記図柄の提示は前記個人情報案内提示物に、該図柄を提示する透明ケースを設ける、または貼り付け可能にするなどの手段にて、図柄を選択して提示可能とする請求項１に記載の個人情報案内提示物。
【請求項３】
前記個人情報案内提示物は個人情報提示者毎に異なる外観とする請求項１から２のいずれかに記載の個人情報案内提示物。
【請求項４】
前記個人情報案内提示物が示す個人情報の保存位置情報は、前記個人情報案内提示物を提示する個人情報提示者が身に付けている着衣または装飾品など、または生活空間の中の特定の場所の少なくともいずれかを示して個人情報の保存位置情報として示す請求項１から３のいずれかに記載の個人情報案内提示物。
【請求項５】
前記個人情報案内提示物が示す個人情報の保存位置情報は、２次元バーコードや電話番号などネット先を特定する形式で示される請求項１から３のいずれかに記載の個人情報案内提示物。
【請求項６】
前記個人情報案内提示物には個人情報提示者の個人情報を得るために必要なサーバ許可情報が、直接的、または間接的に該個人情報案内提示物に表記または表示されている請求項５に記載の個人情報案内提示物。
【請求項７】
請求項１から３、および５から６のいずれかに記載の前記個人情報案内提示物を用いて、個人情報をサーバで管理して運用する個人情報案内提示システム。
【請求項８】
個人情報案内提示物には、
A）特定の図柄を選んで提示する
Ｂ）複数の図柄を用いて提示する
の少なくとも何れかの方法で所定の図柄を提示し、さらに、少なくとも個人情報特定情報、連絡先、個体特性情報を含める個人情報を該個人情報案内提示物とは別な場所に保存して、該個人情報案内提示物に所定の操作にて該個人情報の保存位置情報が示される個人情報案内管理方法。
【発明の詳細な説明】
【技術分野】
【０００１】
本発明は、身体に装着している衣類、身に着ける各種装飾品など身体近辺に所定図柄の提示物を通して、第３者に個人情報の開示意思案内行い、緊急時にはこの提示物（個人情報案内体事物）を通して、緊急時における個人情報の案内を行う個人情報案内提示物および個人情報案内管理方法、それらの個人情報案内提示システムに関する。
【背景技術】
【０００２】
現在、第３者に提示する目的の重要な個人情報を記録した緊急時連絡カードや持病通知カードなどは常に身に付けている人が多い中、とくに各種持病を持つ者は、各自自分が危険状態に至った時のために第３者に持病の詳細を知らせる目的も含めて、少なくとも氏名と連絡先、または氏名と持病内容などの個人情報は率先して緊急時連絡カードや持病通知カードなどに明記して常に身に付けるように心がけている。
通常日常生活の中においては、これら個人情報は詳細な情報までは第３者に常に提示するものではなく、着衣の中に意図的に隠して保持するとか、常に持ち歩く場合も鞄などの中に入れているのが現状である。
しかしながら、突然の事故や脳卒中などで本人の意識がない、または意識があっても自己主張手段が閉ざされた場合などの緊急時には第３者に手持ちの個人情報を伝達したくても、身に着けている個人情報の緊急時連絡カードや持病通知カードの存在を明示することが出来ない状態になる。
この場合、せっかく常に保持している個人情報も、第３者に見せることを避けている状態が災いして、個人情報を常に保持する意図の
効果を生み出すことができない。
【０００３】
例えば、１９９５年（平成７年）１月１７日（火曜日）に発生した大規模地震災害「阪神・淡路大震災（兵庫県南部地震）」の震災のとき、
災害を受けた方々を目の前に見つけて助けようとする場合、その人の身寄りがわからず誰に連絡をすれば良いのか？
応急処置をしたくとも、血液型やアレルギー体質の有無などのその人の情報が手元にないので、簡単な処置しかできず、所定の検査過程を踏まなければ根本処置が出来なくなる。
特に生命の危険にさらされている方を前にしたときには迅速な処置を適格に行う必要性から、助けたい方の最低限の個人情報はその場で知っておきたいものである。
よって出来れば、その方の血液型や持病やアレルギー体質などの固体情報、および緊急連絡先や、かかりつけの病院や、その他伝えたいことなどの連絡情報を含む個人情報がその方を発見時に迅速に確認可能であれば、その方の生命を救える可能性が高くなる。
これらは、または２０１１年（平成２３年）３月１１日（金曜日）に発生した東日本大震災のときも必要であったと思われてならない。
【０００４】
本発明は、少なくとも個人情報を保存していることを常時第３者に積極的に意志表示して、緊急時に至った時には速やかに保存している個人情報を第３者に開示する手段を提供するものであるが、改めて日本国内の緊急医療の対応実体を調べたところ、日本全国の消防署や社会福祉協議会や腎患者団体、てんかん患者団体や各病院などが個別に個人情報の必要性を求めて活動を始めている様子が伺えるが、各地域ごと、各団体ごとに所定図柄もバラバラで統一されていない状況にある。
国際標準的な所定図柄もあるには有るが、どの図柄が本来の国際標準的な図柄であるのか？各関係団体に声をかけても、安易に使用許可を得られない状況にある。
このように、多様な緊急医療を求める状況において、統一的な図柄がいまだ一つに確定されていないのは残念であるが、本発明によって各地域毎に運用されている図柄や個人情報提示者（緊急時に自分の個人情報を積極的に開示しようと希望する者）が加盟している団体の図柄を個人情報提示者が任意に有効と思われる図柄を選んで提示することで、緊急医療を少しでも早く周囲の第３者に提示したいと思う気持ちに応えるものである。
【０００５】
このような状況の中、特許文献１の特開平１１−３８８８１には、外から名前が見えないように重ね布を付して、通常は名前を人に見せずに、必要なときのみ重ねている布をめくって、名前が確認できるようにしたワッペンが開示されている。
外から見えない所に氏名を隠して持つ点では同じ考えであるが、この方式では表示する情報に文字数の限界があり、第３者に伝達したい個人情報の細部まで、重ね布部の下に表記することは伝達したい情報量から無理である。
つまり、特開平１１−３８８８１の場合、伝達したい情報量を表記しようとすると、形状を大きくするか、または記載文字の大きさを小さくしても、表記に限界があり実用的でなくなる。
これに対して本発明は、既存の個人情報が書かれた表記体を外着衣の内側やネット先などに隠し持ち、外から見えるワッペンなどの
個人情報案内提示物に表記体保持の場所のみを示すことで目的が達成できるので、多くの個人情報を隠し持つことが可能となる点で異なる。
【０００６】
特許文献２の実用新案登録第３０２６５６６号には、身元確認情報を衣類に設けられたポケットに保持して、個人情報を記載した表示手段があることを示すマークを衣類に設けることが開示されている。
しかしながら、個人確認情報をその人が保持していることは解ったとしても、どこに保持しているのかまでは開示されていないので、このマークの意味を知っていても、闇雲に体の身辺を探すことで個人情報を知ることがやっと出来るものである。
このマークの意味を知らない場合には、このポケットの存在の意味は第３者には知れることなく、意識の無い方を病院へ搬送した後、病院などで病院用の着衣に着替えをする時などになって初めて気付くものである。
これに対して本発明は、少なくとも好ましい図柄でマークを提示することにて第３者に対し、速やかに個人情報の保存位置を案内することができる点で、より緊急時での対応に効果が生まれる。
特に所定の図柄を当該自治体の関係者に周知徹底しておけば、さらにこの効果は大きく寄与するものとなる。
【０００７】
特許文献３の実用新案登録第３１１７５０６号には、ペンライトの中に個人情報を保管し、ペンライトの周囲の一部に中を開けて見るように指示するメッセージを表記する技術が開示されている。
しかしながら、ペンライトの中に格納できる個人情報の紙面の大きさは限られていることと、ペンライトが不注意にも第３者に渡った場合、個人情報が本人の意思とは関係なく開示されてしまうと言う問題を抱えている。
本発明では個人情報案内提示物と個人情報の保存場所は異なるので、このような問題は生じないし、保存場所が任意に決められることから、緊急時に提示したい情報量を多く提示することが可能となる。
【０００８】
特許文献４の商標登録番号第５１６９６７９号には、アメリカ合衆国運輸省幹線道路交通安全局（NHTSA）により、赤十字との類似を避けて1973年にデザインされたマークで、人命救助に関わる職場で活躍する人々の守り神として、アメリカを中心とした世界中で救急医療のシンボルマークになっている。
日本を含む世界各国で救急車の車体にこのマークが描かれていることもしばしば見られる。救急車両の図柄が登録されている。
【０００９】
非特許文献1には岡山県総社市の救急安心カードが公開されています。
これは総社市の消防署が救急現場で急病やけがをした人の日頃の様子をスムーズに把握するために用意したものであって、家族のだれもがいつでも見ることが出来る場所に常備するように提案されているが、本人の体への保持方法の指導まではなにも示唆されていません。
【００１０】
非特許文献２には厚生労働省が定めたマタニティマークが公開されています。
これは妊産婦が交通機関等を利用する際に身につけ、周囲が妊産婦への配慮を示しやすくするものであり、交通機関、職場、飲食店、その他の公共機関等が、その取組や呼びかけ文を付してポスターなどとして掲示し、妊産婦にやさしい環境づくりを推進するものとして妊産婦の方が周囲に自分の身体状況を訴えるために利用するものです。
このマークではより詳細な個人情報を第３者に示すものではありません。
【００１１】
非特許文献３には「緊急医療情報キット」として日本全国で地域毎に色々な図柄を設けたケースの中に個人情報を格納して保管する活動が示されている。このように緊急医療に関する図柄は各地域毎に管理されて運用されている状況にある。
非特許文献４は救急医療に関するウィキペディアのページであって、ここに上記特許文献４のマークの詳細な説明がされている。
また、非特許文献５にはNPO法人ピースの防災手帳や防災ワッペンが紹介されている。
また、非特許文献６には透析患者向けのレスキューポットで（緊急医療情報）を保管し、保管場所を示すシールを玄関ドアの内側に貼り付けるなど記載されている。
【先行技術文献】
【特許文献】
【００１２】
【特許文献１】特開平１１−３８８８１
【特許文献２】実用新案登録第３０２６５６６号
【特許文献３】実用新案登録第３１１７５０６号
【特許文献４】商標登録番号第５１６９６７９号
【非特許文献】
【００１３】
【非特許文献１】［２０１２年３月９日検索］、インターネット＜http://www.city.soja.okayama.jp/mpsdata/web/1862/ansin_card.pdf＞
【非特許文献２】［２０１２年３月９日検索］、インターネット＜http://www.mhlw.go.jp/houdou/2006/03/h0301-1.html＞
【非特許文献３】［２０１２年３月９日検索］、インターネット＜http://kyoto119kitto.com/index.php?%E4%BB%8B%E8%AD%B7110%E7%95%AANEWS!＞
【非特許文献４】［２０１２年３月９日検索］、インターネット＜http://ja.wikipedia.org/wiki/%E6%95%91%E6%80%A5%E5%8C%BB%E7%99%82＞
【非特許文献５】［２０１２年３月９日検索］、インターネット＜http://p-s-sakai.net/bousaiguzzu1.html＞
【非特許文献６】［２０１２年３月９日検索］、インターネット＜http://www.kobe-np.co.jp/news/iryou/0004237981.shtml＞
【発明の概要】
【発明が解決しようとする課題】
【００１４】
非特許文献１の救急安心カードなどの第３者に伝達する目的の個人情報を明記した緊急時連絡カードや持病通知カードなどは体の下着の中などに紛失しないように、かつ常に第３者も見られないように保持しておきたい物ですが、急な病気や事故などで自分が第３者に意思表示できない状態の場合には、逆に自分が何者で、どのような持病を持っているかを出来るだけ早く知っていただきたくなります。
しかしながら、現状は意思表示できなくなった病気や事故にあった人に出会った場合、その人の手荷物や衣服のポケットの中などを闇雲に探すことで、その人が持っている個人情報を明記した緊急時連絡カードや持病通知カードや携帯電話などの電子端末を発見し、身元を確認して対処するために、緊急対応に時間を要する場合があり、他人の衣類の中まで探索することは、如何にその人の生命に緊急状態であっても、その人の人権を意識すれば行動しにくく、その人が救急安心カードや携帯電話などの電子端末を持っていても発見できない場合が発生し、結果的に、緊急の時のために身に着けている個人情報の緊急時連絡カードや持病通知カードや携帯電話などの電子端末、およびネット先に登録してある個人情報を第３者に知らす事無く、誤った処置が行われる結果となってしまう。
本発明は、身に着けている個人情報の緊急時連絡カードや持病通知カードや携帯電話などの電子端末、およびネット先に登録してある個人情報を、常時は第３者に見られないようにしながら、緊急時には即、第３者がその個人情報の緊急時連絡カードや持病通知カードや携帯電話などの電子端末や、およびネット先に登録してある個人情報を見つけられるようにするものである。
【００１５】
本願出願人はこの課題に対して、先に特願２０１０−２１４７２８で個人情報を隠し持って個人情報案内提示物を第3者に提示して緊急時に個人情報を提示可能にしている意思表示を示した発明を出願し、さらに特願２０１１−２０３８９９においては、その個人情報の保存先をネット先に保存する場合の詳細発明を出願しておりますが、これら出願の後に緊急医療の実体をさらに詳しく調査していきますと、緊急医療における個人情報の自己管理の意識付けの状況は、各市町村毎に消防署とか社会福祉協議会や医療に関する各種団体などが各々個別にマークを定めて地域や団体毎に管理している状況にあることがわかってきました。
このような状況では地域や団体毎に採用している緊急医療のマークが異なるために、個人情報案内提示物に設ける所定の図柄が旅行先にて認知されていなければ緊急医療における支援を希望通りに受ける事が難しくなります。
このような現状を踏まえて個人情報提示者の立場で最適な緊急医療マークを考えると、地域や各種団体毎の各々の緊急医療マークを必要に応じて併用しながら運用可能な個人情報案内提示物を選択して提示する必要性があるのではと感じてきた。
本願発明は、このような現状に照らして、個人情報案内体事物を提示している個人情報案内提示者が、今行動している地域の第3者に、個人情報案内体事物に設けている所定の図柄が、緊急医療を示す図柄として理解できる図柄として運用し、緊急時に安心して個人情報の保管場所を第３者に提示しなければという課題が生まれました。
【課題を解決するための手段】
【００１６】
上記課題を解決するために、本願発明では個人情報案内提示物の所定の図柄は、緊急医療の必要性を求めるための図柄であって、現状の地域ごとに、または各種団体ごとに異なる図柄で運用されている現状の活動状況を踏まえ、
個人情報案内提示物には、
A）特定の図柄を選んで提示する
Ｂ）複数の図柄を用いて提示する
の少なくとも上記AとかBに記載の何れかの方法（AまたはＢのみでも良くAとＢを混在しても良い）で所定の図柄を提示し、少なくとも個人情報特定情報、連絡先、個体特性情報を含める個人情報は個人情報案内提示物とは別な場所に保存することにより、個人情報案内提示物のみで安易に個人情報が覗かれることは無くなります。
そして、個人情報案内提示物に所定の操作を行うことにて個人情報の保存位置情報が第3者に示されるような個人情報案内提示物とすることにて、地域毎にまたは各種団体毎に運用されている各種緊急医療に関わる図柄を個人情報案内提示物の所定の図柄を、その個人情報提示者が避難に合う場所の第3者に認知されやすい所定の図柄で提示することが容易に可能になります。
特に、特定の地域でのみ生活する者にとっては、その地域の緊急医療に関する図柄は定まっていると思われますので、その地域が推奨する図柄を個人情報案内提示物に提示すればよく、旅行など特定の地域以外でも行動する者は、その地域の図柄と共に、広く世間に広まっていると思われる図柄や、特定の病気（腎臓病や癲癇病）などの団体が推奨する図柄も併記して提示するようにすれば、周辺で行動する第3者に個人情報案内提示物を保持している意思表示の目的が果たせ易くなります。
【００１７】
たとえば、図柄の提示の方法としては個人情報案内提示物に、図柄を提示する透明ケースを設けて、その中に必要な図柄を挿入したり、または貼り付けたり裏返ししたりできるような構造にすることにて図柄を個人情報提供者、若しくは個人情報提供者の保護者が個人情報提供者の図柄を選択して提示出来るようにすることが可能となります。
【００１８】
ただ、本願の個人情報案内提示物は家族や老人施設などの団体で運用される場合が予想され、一緒に行動をする仲間が同じ外観の個人情報案内提示物を保有するのは誤って保持する可能性も発生しますので好ましくありません。
このため、個人情報案内提示物は個人情報提示者毎に異なる外観とするのが得策であります。
【００１９】
ここで、個人情報案内提示物が示す個人情報の保存位置情報としては、個人情報案内提示物を提示する個人情報提示者が身に付けている着衣または装飾品などが考えられます。この場合には近所を歩く場合などで緊急医療を求める状況になった場合、その場で第3者が個人情報案内提示物が示す個人情報の保存位置情報を知り、その個人情報提示者が身に付けている着衣または装飾品の中から個人情報を見つけて緊急対応が出来ます。
また、室内から一人では出歩かない人に於いては、冷蔵庫の上など生活空間の中の特定の場所を個人情報の保存位置情報として示し、個人情報案内提示物を身につけておくことも可能であります。第3者は、個人情報提示者の異常に気が付けば、その人が室内のどこに個人情報を保存しているかを容易に知ることがこれによって可能になります。
【００２０】
さらに、別な個人情報案内提示物が示す個人情報の保存位置情報としては、２次元バーコードや電話番号などネット先を特定する形式で示すことも可能であります。この場合には、身辺に個人情報を持たなくても、第３者がネット先の情報にて緊急医療に関する情報を入手できる手段を提供することで緊急時の医療を迅速に受けやすくなります。
【００２１】
ただし、ネット先の個人情報は無防備に閲覧されるのは好ましくなく、個人情報案内提示物には個人情報提示者の個人情報を得るために必要なサーバ許可情報を直接的、または間接的に該個人情報案内提示物に表記または表示することにて、閲覧可能とします。
ここで、直接的とは個人情報案内提示物にサーバ許可情報を表記または表示するものであって、間接的にとは下着の中など他の場所を示して、そこからサーバ許可情報を得ることを示しております。
【００２２】
ネット先に個人情報を保存して運用する場合は、個人情報提示者である顧客の個人情報をネット先のサーバで管理して運用する必要が発生しますので、この場合は、個人情報案内提示物とサーバでの個人情報の管理を行う個人情報案内提示システムを構築する必要が求められます。
【００２３】
また、本願発明は個人情報案内提示物と個人情報の２つがあって、緊急医療などでの目的が得られるものなので、少なくともこの２つを利用する方法そのものが本願発明の手段となっております。
【発明の効果】
【００２４】
本発明によって、個人情報の内容を第３者に常時示す事なく生活をし、不本意にも本人の意識が突然の事故や脳卒中などで遠のくとか、意識があっても自己主張手段が閉ざされた場合の緊急時において、初めて速やかに第３者へ手持ちの個人情報を伝達できるようになります。
これによって、病院での手当てを正しく速やかに対処可能になると同時に、必要な連絡先にも何不自由なく状況を伝えることが可能となる効果が生まれます。
特に、個人情報案内提示物の形状を予め定めた所定の形状図柄（ロゴなど）に決めることにて、非引用文献２のマタニティマークのように周囲にその意味的存在を印象付け、緊急時に迅速に対処可能になると同時に、個人情報も非引用文献１の救急安心カードのよう
に氏名、年齢、血液型、かかりつけの病院、今かかっている病気、常用している薬、アレルギーの有無、手術暦などを第３者に伝える、または親族などの緊急連絡先、職場連絡先なども個人情報に明記する事で安全安心の情報を本人だけでなく、本人を助ける関係者および緊急連絡先への情報伝達を容易に実現できるので、関係者全員にかなりの情報提供が可能となり本来の目的を果たすという大きな効果が得られます。
当然のことながら、本人が正常時には本人の許可無くこの個人情報は見ることは出来ないので、日々の生活に何ら支障なく、安全安心のみ享受されながら生活を営む事が出来る効果も有ります。
このような目的効果を得るために、本願発明の個人情報案内提示物を所定の図柄で第３者に提示し、セキュリティ上の問題から、個人情報案内提示物に対して何らかの所定の操作を得て個人情報の保存位置情報を第３者に案内するに当って、本願の個人情報案内提示物は、地域毎に各種団体毎に緊急医療に対する図柄が異なる現状に照らして、その地域、または運用される団体に認められる図柄を個人情報案内提示物の所定の図柄とできるので、個人情報提示者の置かれた環境の中で第３者に訴えやすくなると言う効果がある。
特に、一つの図柄では不安の場合には複数の図柄を用いて対応地域や各種団体が推奨する図柄を併用することにてその目的への効果を高めることが可能となります。
【００２５】
また、その目的を果たすために個人情報提示者側で自由に所定の図柄を交換可能に出来るように、個人情報案内提示物の図柄を提示する面には透明ケースを設けたり、自由に接着や縫込みで貼り付け可能な構造にすることにて、地域や団体毎に運用されている個人情報提示者の置かれた環境で一番第３者に訴えやすい所定の図柄を選んで用いることが出来るという効果がある。
【００２６】
そして、一つの契約者の中で複数の登録者を抱える家族や団体の場合、外観が同じデザインの個人情報案内提示物で運用されると、外出時に誤って他人の個人情報案内提示物を保持する可能性が発生し易くなるため、可能な限り個人情報案内提示物の外観は色や形状で異ならせるのが好ましい、これによって誤って他人の個人情報案内提示物を保持しなくなるという効果がある。
この考えは契約者が異なった場合においても同じで、各個人情報案内提示物の個人情報提示者毎に差別化された外観となる個人情報案内提示物とすることで誤って他人の個人情報案内提示物を保持しなくなるという効果がある。
【００２７】
この個人情報案内提示物が指し示す個人情報の保存位置情報として、外出先での緊急医療などを希望する場合であっても、身辺に個人情報を隠して保存しておきたい人は、身に付けている着衣または装飾品などの中を指定することが可能であるし、一人での外出の予定の無い者においては、一々身に個人情報を持つ必要性は少ないので、室内の特定の位置（例えば冷蔵庫の上など）を個人情報の保存位置情報として示しておくことで安全に個人情報案内提示物から個人情報の保存位置へ保存位置情報を通して示すことが可能となる。
【００２８】
さらに、個人情報案内提示物が指し示す個人情報の保存位置情報を、ネット先に設ければ、逐次病歴が変わる場合でも、各種病院のカルテとリンクさせるなりしたり、法律で検討されている「共通番号制度法案」のマイナンバーなどと関連しておれば、住所移転などの場合にも自動的に個人情報も変更されるので、一々データの見直しをすることなく運用可能となる。
ただし、この場合は第3者が容易に個人情報を覗けないようにセキュリティの強化が望まれるが、個人情報案内提示物に所定の操作をすることによって得られる個人情報案内先情報である個人情報の保存位置情報とは別にサーバーへの許可コードを個人情報案内提示物から直接的に、または他の隠し位置を示して間接的に第3者に知らせる手段を講じることにより、ネット先の個人情報を緊急時には第3者でもその場の情報を元にたどり着くことが可能となる効果があり、最新の個人情報を安心して探せて閲覧していただき、目的の緊急対応を第3者に一任することが可能となる効果がある。
【００２９】
本願発明は、個人情報案内提示物そのものだけで運用されるものではなく、その個人情報案内提示物が指し示す個人情報も含めて、当初の緊急医療における安心が得られるという効果があるので、個人情報案内提示物の物品の発明であると同時に方法的にもあらたな運用効果があると同時に、ネット先の電子情報を閲覧可能にした場合、ネット先のサーバも含めて安心安全の緊急医療を実現するシステムとしても運用可能であるので、IT技術を駆使した新たな産業創出としても大きな効果がある。
特にネット先の電子データを個人情報として扱う場合には、上記でも説明しておりますが、個々の医療情報などは逐次更新が容易であるため、ユーザ本人の意思に関係なく、最新の個人情報で緊急医療に対応することが可能となる。また、今後予定されている国民の共通番後制度法案で審議されているマイナンバーが実現できれば、連絡先情報なども自動的に連携して更新されるので、電子データでの個人情報保存運用は将来的に大きな効果が期待される。
【図面の簡単な説明】
【００３０】
【図１】本発明の個人情報案内提示物を説明した図である。
【図２】本発明の図柄を提示する個人情報案内提示物の選択提示の方法を示した図である。
【図３】本願発明の個人情報案内提示物の提示位置の例を示した図である。
【図４】本願発明の個人情報案内提示物に対する所定の操作の一例として捲る操作例を示した図である。
【図５】本願発明の個人情報案内提示物に対する所定の操作の一例として電子的な操作例を示した図である。
【図６】本願発明の2次元コードや電話番号などでネット先を特定して個人情報を閲覧する一例である。
【図７】本願発明でネット先の個人情報を閲覧するサーバ内の動作フローの一例である。
【図８】本願発明の個人情報案内提示物が個人情報提示者毎に外観の異なる個人情報案内体事物を用いる一例を示した図である。
【発明を実施するための形態】
【００３１】
本発明は、非特許文献１の救急安心カードなどの個人情報が記載された緊急時連絡カード（緊急時に案内したい連絡先を明記したカード）や持病通知カード（持病を持っている場合、第３者にその自分の持病の内容を知らせたいカード）や携帯電話などの電子端末
（電子的に緊急時連絡の情報や持病の内容を明記した情報が報知できるもの）を体の下着の間やカバンの中など第３者に見られないように保存したり、生活空間の特定の場所に保存したり、ネット先のサーバ上に電子データとして個人情報を保存したりして、急な病気や事故などで第３者に意思表示できない状態の場合には、その個人情報を第３者に速やかに開示することで、生命に影響する緊急事態に速やかな対応を願いたいとの希望から生まれたものであり、第３者が容易に目に付く場所に、個人情報を保存している意思表示をした個人情報案内掲示物を提示し、その個人情報案内掲示物を通して個人情報が何処に保存しているかを示すことで、緊急時に第３者が個人情報案内掲示物から、常に隠し持っている個人情報を容易に見つけ易くするものであります。
さらに、個人情報案内掲示物の形状を所定の形状図柄で統一しておき、その形状をあらゆる手段で一般大衆に宣伝しておくと、一般への個人情報案内掲示物の認知度が高まり、本発明の個人情報案内掲示物を提示する場合、事前に個人情報案内掲示物で案内する案内情報の先に個人情報を保存しておくことにて、急な病気や事故などで第３者に意思表示できない状態の場合に至った場合に、近辺にいる第３者に速やかに個人情報を開示して、生命に影響する緊急事態に速やかな対応を第３者に促せるものであります。
しかしながら、世の中の現状を見ますと、緊急医療のマークとして利用されています図柄は色々なものが地域毎に各種団体毎に異なる図柄で運用されている現状がありますので、個人情報提示者が行動する範囲の第3者が認知しやすい図柄を緊急医療を求める図柄として個人情報案内提示物に提示する必要が求められます。本願発明は、このような背景から生まれた発明であります。
【実施例】
【００３２】
図１は、本発明の個人情報案内提示物（２）を説明した図である。
図１は個人情報提供者（１）が腕にリストバンドの形で個人情報案内提示物（２）をはめた場合を想定して説明しております。
また、他の方法としてワッペンで個人情報案内提示物（２）を用意した例も示しております。
ワッペンに関しては個人情報提供者（１）のどこに付けるかまでは図で説明していませんが、例えば胸に付けるとか、日頃持ち歩く鞄に付けるなど、個人情報提供者（１）の着衣や手持ちの装飾品に設けると考えていただきたく。
さて、図１のリストバンドの形の個人情報案内提示物（２）には３つの図柄（２１）を提示している状態を一つの例として示しています。また、その内の一つは3種類の図柄（２１）から選択的に希望する図柄（２１）に変更できることを矢印で示しております。
これら図柄（２１）は緊急医療や老人が徘徊する場合や子供の迷子の時に第3者に見つけていただくための個人情報（３）を開示する意思表示を示している図柄（２１）であります。ワッペンに関しては後で図２にて詳細を説明いたしますので、ここでの説明は省略いたします。
さて、リストバンドの形で個人情報案内提示物（２）の内側には個人情報先案内情報（２２）とサーバへの許可コード（２３）が記載されている状況を示しております。
つまり、個人情報案内提示物（２）の内側の個人情報先案内情報（２２）とサーバへの許可コード（２３）はリストバンドを個人情報提供者（１）の腕から外さないと見えない場所（内側）に記載しております。
これによって、第3者は個人情報提供者（１）の腕からリストバンドを外さないと個人情報先案内情報（２２）とサーバへの許可コード（２３）を覗くことが出来ず、個人情報提供者（１）の意識が無くなった場合とか、個人情報提供者（１）の許可が無いと個人情報先案内情報（２２）とサーバへの許可コード（２３）を見ることは出来ません。
内側に記載する個人情報先案内情報（２２）には「家の冷蔵庫の上に置いてあります」と記載して、室内での個人情報（３）の保存場所を指定したり、「下着（シャツ）のポケットに個人情報を持っています」と記載して個人情報（３）の保存場所へ第3者を誘導したり、または2次元バーコードにてネット先の個人情報（３）への接続URLを示して、カメラ付き携帯電話（４）にてネット先のサーバ（５）を知らせたり、図１には記載していませんが、ネット先の窓口への電話番号などを記載して情報を得られるようにすることが可能となります。
このとき、ネット先にアクセスの際にはサーバへの許可コード（２３）を入力することにて第3者が個人情報（３）にアクセス可能に誘導しますが、この許可コード（２３）はリストバンドの内側に個人情報先案内情報（２２）に並べて併記（図１では「abc123」）したり、または個人情報先案内情報（２２）の中に「許可番号は下着に記載」と、さらに誘導して下着に（例えば図に示しているように）許可コード（２３）として「５９２３」と記載することでネット先のサーバ（５）の中の個人情報（３）にたどり着くことが可能となります。
さらに、図１では個人情報（３）を身体内に隠し持った場合の内容を２つ示していますが、一つは「安心カード」として氏名、生年月日などの個人情報特定情報であり、一つは緊急連絡先などの連絡先情報であり、一つは持病やかかりつけの病院など個体特性情報を明記します。さらに必要に応じてその他伝えたいことも明記しておければ安心だと思います。
カードを持ち歩かない人においては、携帯電話など個人情報を記憶した電子端末を個人情報（３）として扱っても問題ありません。
このように、図1は本発明では個人情報案内提示物（２）に第3者が、その地域、または団体において緊急医療や迷子（徘徊含む）管理用に決めている所定の図柄を選択して提示したり、その地域、団体で第3者に認知し易い図柄を複数併記したりして示すことで、個人情報提供者（１）が緊急医療を求めたり迷子になった時などに気付いていただけるような手段を実現する個人情報案内提示物（２）の説明図であります。また、個人情報案内提示物（２）と個人情報（３）との関連を示した個人情報案内管理方法の説明図でもあり、個人情報（３）をサーバ（５）にて運用する個人情報案内提示システムの説明図でもあります。
【００３３】
図２は、本発明の図柄を提示する個人情報案内提示物（２）の選択提示の方法を示した図である。
図２は図１で示していますワッペンの個人情報案内提示物（２）を詳しく説明しております。
図２において（２−Ｂ）はワッペンを表から示した図であり、（２−A）はワッペンを裏から示した図であります。
このワッペンは表も裏も透明ケースで個人情報案内提示物（２）を構成させております。
この透明ケースの中には（２−Ｃ１）（２−Ｃ２）（２−Ｄ１）（２−Ｄ２）などのカードが挿入可能になっており、（２−Ｃ１）は「個人情報は下着の中」と個人情報先案内情報（２２）を記載した例を示し、（２−Ｃ２）には２次元バーコードでネット先の個人情報の保存場所を示した個人情報先案内情報（２２）を記載した例を示しております。実用に於いては、このように何れかの個人情報先案内情報（２２）を記載したカードを個人情報案内提示物（２）の裏から見えるように挿入しておければ良く、（２−A）は（２−Ｃ１）を挿入した事例を示しております。
また、（２−Ｄ１）と（２−Ｄ２）には選択された所定の図形（２１）が記載されており、（２−Ｂ）では（２−Ｄ１）が挿入された例を示しております。
ここで、（２−Ｄ２）に記載していますサーバへの許可コード（２３）は図１のリストバンドでは外から見えないところに配置しましたが、目的によっては所定の図形（２１）と同じく第３者に常時見える位置に設けても良い場合もある例で示しております。例えば、徘徊老人などの場合には、個人情報先案内情報（２２）で個人情報が格納されているサーバにアクセスしなくても、警官などがパトロールで徘徊老人を見つけた場合、このサーバへの許可コード（２３）を見るだけで個人情報提示者（１）を特定することができますので、目的に応じてサーバへの許可コード（２３）は表に記載しても問題ないときがある例を示しております。
なお、（２−Ｃ１）（２−Ｃ２）と（２−Ｄ１）（２−Ｄ２）は一つの例として図２で説明しているものであり、実際はより多くの記載内容のカードより選択可能でありますし、一つのカードで表と裏を構成して透明ワッペンの中に挿入しても何ら問題ありません。
また、図２では透明ワッペンを一つの例として説明していますが、ワッペンの表に必要な図柄を貼ったり、縫い付けたり、裏に直接記載する場所を設けることでも可能でありますので透明に拘る必要はありませんし、個人情報案内提示物（２）は図１のリストバンドやブレスレットや時計などのようにワッペンの形状に拘る必要もありません。
【００３４】
図３は、本願発明の個人情報案内提示物（２）の提示位置の例を示した図である。
図3において図で説明していますように個人情報案内提示物（２）の提示位置は、図３で示すように個人情報提供者（１）が個人情報案内提示物（２）を示している状況が第３者に積極的に示されて、第３者に認知可能であれば何ら問題なく、「帽子の外」、「スカーフ」、「リストバンド」、「ワッペン」、「腕時計」、「鞄の飾り」でも、どこでも問題はありません。
必要なことは、これら位置にて第３者に緊急医療や迷子の状態のときに個人情報（３）を提示している意思表示を個人情報案内提示物（２）で提示している所定の図柄（３）にて示して、第３者に気付いていただくことです。
よって、小さく目立たないように持つよりも、第３者に個人情報案内提示物（２）で提示している所定の図柄（３）が常に目に入るように積極的に見せる必要が有ります。
そして、個人情報（３）はこの個人情報案内提示物（２）とは異なる位置に保存して、個人情報案内提示物（２）に対して所定の操作をすることにて、個人情報先案内情報（２２）を第３者に示すことで、個人情報（３）が安易に第３者に覗かれなくする必要があります。
その個人情報案内提示物（２）とは異なる位置に保存している個人情報（３）の場所は身体の着衣の中とか、手荷物など装飾品の中とか、家や車などの生活空間の中とか、ネット先のサーバの中などであります。
【００３５】
図４は、本願発明の個人情報案内提示物に対する所定の操作の一例として捲る操作例を示した図である。
図４は、この個人情報案内提示物（２）から個人情報先案内情報（２２）を示す所定の操作を捲るという動作にて行う一例を示しております。
図４の（４−A）には個人情報案内提示物（２）の表に緊急医療のマークなどの所定の図柄（２１）が示された例を表わしております。
図４の（４−Ｂ）には個人情報案内提示物（２）の表の所定の図柄（２１）を捲ったときに、その下に「個人情報はシャツの内ポケットに入れています」と個人情報先案内情報（２２）が記載されている例を示しております。また、図４の（４−Ｃ）には個人情報案内提示物（２）の表所定の図柄（２１）を捲ったときに、その下に２次元バーコードでサーバ先への個人情報先案内情報（２２）が記載されており、そのサーバへの許可コード（２３）が捲ったの所定の図柄（２１）の裏に記載されている例を示しております。
このように、第３者は個人情報案内提示物（２）に対して、何らかの操作をしなければ個人情報先案内情報（２２）を知ることはできませんので、個人情報提示者（１）は安心して個人情報案内提示物（２）を積極的に第３者に提示することが可能となります。
【００３６】
図５は、本願発明の個人情報案内提示物に対する所定の操作の一例として電子的な操作例を示した図である。
図５は個人情報案内提示物（２）の所定の図柄（２１）を電子的に複数表示した一例（５−A）を示しております。
物としてはワッペンであったり、腕時計であったり、色々な場面で用いることが可能であります。
そして、第３者がこの個人情報案内提示物（２）の所定の図柄（２１）に気付いた場合、横にある操作ボタン（６）を操作すれば、画面の表示が（５−Ｂ）に示しますように、２次元バーコードで表示される個人情報先案内情報（２２）とサーバへの許可コード（２３）が表示される例を示しています。
このように、個人情報案内提示物（２）に対する個人情報先案内情報（２２）を得るための所定の操作とは電子的な操作で画面を切り替え表示する方法も含まれています。
【００３７】
図６は、本願発明の2次元バーコードや電話番号などでネット先を特定して個人情報を閲覧する一例である。
図６は個人情報案内提示物（２）の所定の図柄（２１）を見て、個人情報案内提示物（２）を裏返し個人情報先案内情報（２２）をカメラ付き携帯電話（４）にて撮像してインターネットのネット先のサーバ（５）に格納されている個人情報（３）を見るときに個人情報案内提示物（２）に記載されているサーバへの許可コード（２３）が必要であり、このサーバへの許可コード（２３）をネット先のサーバ（５）が確認することにより個人情報（３）を覗くことが出来る例を示しています。さらに図６では個人情報（３）を常時公開個人情報と、制限公開個人情報に分けて管理している状況も示しております。
ここで、常時公開個人情報とは一般の第３者が個人情報提示者（１）の緊急医療連絡や初期処置をする上で必要な最低限の情報を意味し、制限公開個人情報とは緊急医療隊員など、医療に従事する者などの特定許可者が、より踏み込んだ対応をする上で必要な情報（例えば、主治医の連絡先など）まで広げての個人情報であり、システム的に別に定めるパスワードにてアクセスが許可される個人情報であります。
このようにすることにて、必要に応じて個人情報（３）はサーバを用いた緊急医療システムなどでは階層的に開示可能となり、不必要な個人情報が独り歩きしないように制限をかけながら運用することも可能となります。
【００３８】
図７は、本願発明でネット先の個人情報を閲覧するサーバ内の動作フローの一例である。
図７は、上記図６で示した個人情報のサーバ側での判断フローを示したものであります。
図７において、ステップ１（Ｓ１）ではカメラ付き携帯電話（４）で撮像された２次元バーコードが示すURLに基づきサーバに接続され、そこで個人情報提供者（１）の個人情報提示物（２）を触っている第３者からサーバへの許可コード（２３）が入力されると、ステップ２（Ｓ２）にて許可コード確認作業が行われ、サーバへの許可コード（２３）の入力が誤っているとエラー処理を行い、正しい場合にはステップ３（Ｓ３）にて常時公開個人情報（氏名、生年月日、緊急連絡先、持病など）を提示します。通常、この個人情報の開示で終わるものの、救急医療隊員など特定許可者は先にシステムに登録している救急医療隊員のパスワードを入力することで、さらに詳しい個人情報を閲覧することが可能になります。
その動作として、ステップ４（Ｓ４）にてサーバーは救急隊員などの特定許可者の確認を行い、パスワードが誤っている場合にはエラー処理へ進み、パスワードが正しい場合にはステップ５（Ｓ５）にて制限公開個人情報（主治医の連絡先、薬野詳細な扱い注意事項など）を知ることが可能となります。
このように、電子的にサーバに個人情報を設けると、階層的な個人情報管理が可能になると同時に、マイナンバーなどの法的制度が正しく運用され始めると、色々な逐次更新されている個人情報提供者（１）の個人情報（３）を最新の状況で第３者に提示可能となり、緊急医療において的確な対処方法を行えると同時に徘徊老人や迷子になる人の場合においても、的確に第３者が個人情報提供者（１）を助けることが可能になります。
ここで、図７では説明していませんが、ステップ１（Ｓ１）にてカメラ付き携帯電話（４）で撮像された２次元バーコードが示すURLのドメイン名の後に個人情報提供者（１）のパスワードもドメインの枝分かれ情報として最初から付与しておくことも可能です。この場合は、ステップ（２）にて第３者が個人情報提示物（２）からパスワードを知って入力する場合、パスワードは少ない桁数で扱っても、ドメイン名の後の枝分かれ情報であるパスワードと一致して許可コードの確認を行う必要があります。そのためドメイン名だけでアクセスしてもパスワードは入力できないので、第３者が個人情報提示物（２）の近くにいて、そこに記載されているパスワードであることを少ない桁数で扱っても問題なく処理可能となります。
また、ＵＲＬに付与するドメインの枝分かれ情報の所定の桁位置にパスワードの枝分かれ情報の中の記載位置を示しておくなどすれば、第３者はた２次元バーコードが示すURLのアドレスを見ただけではドメインの枝分かれ情報のどの部分がパスワードに相当するか判断できませんので、第３者が個人情報提示物（２）の近くにいて、かつパスワードも見てのアクセスであることの確認も出来るようになります。
上記内容をさらに詳しく説明しますと、ドメイン名の例えば「com/」の後に、「34567893」の数字が枝分かれ情報として記載されていた場合で、最初の１桁の数字がパスワードは２桁で最初の桁数であるとシステムがルール化しておくと、３桁目からの５６がパスワードになり、個人情報提示物（２）の中で「５６」と書くことで、第３者は「５６」をパスワードとして入力可能であり、システムは「com/34567893」を読み込んで枝分かれの「５６」と入力される「５６」で許可コードの確認をすることが出来ますが、第３者は個人情報提示物（２）のURLだけではパスワードは解らない状態なので安心して運用可能となります。
この考えは、最初の１桁が第１パスワードの位置、次の２桁目が第２パスワードの位置と定義して、第１パスワードは２桁、第２パスワードは３桁と最初に決めていれば、「com/」の後の「34567893」から第１パスワードは「５６」であり、第２パスワードは「６７８」であると複数設けることも可能であり、第１パスワードは徘徊老人や迷子用として個人情報は氏名、連絡先のみとし、第２パスワードは生年月日から持病まで第３者に開示するように分けて運用することも可能です。（この場合第１パスワードは表に提示して、第２パスワードは隠して提示するなどして運用する）
このように、２次元バーコードの中にパスワードも何気なく隠し込み、最低の桁数で第３者にパスワード入力を促すことで簡単に安心して個人情報をネット上で管理可能となります。
【００３９】
図８は、本願発明の個人情報案内提示物が個人情報提示者毎に外観の異なる個人情報案内体事物を用いる一例を示した図である。
図８は周囲の者が同じ外観の個人情報提示物（２）を保持するようになれば、状況によって誤って他人の個人情報提示物（２）を保持する場面が発生するかも知れないための対応方法を図に示しております。
例えば、家族で個人情報提示物（２）を保持するとか、老人施設などが団体で個人情報提示物（２）を保持する場合などには、生活の中で各自にて個人情報提示物（２）を付けたり外したりする場面が発生し、このときに近くに他人の外した個人情報提示物（２）が置いてあった場合には誤って保持することになります。
各々の個人情報提示物（２）には個人情報先案内情報（２２）が通常見えない状態で示されており、その個人情報先案内情報（２２）を通して各自の個人情報（３）に導かれますので、如何に家族の中であっても緊急時において自分でない者の個人情報で処理されると全く意味を成しません。そのために、各々の個人情報提示物（２）の外観は可能な限り変える必要が求められます。
図８では、事例１から事例３で各々の個人情報先案内情報（２２）の外観が異なる様子を示しています。
事例１の個人情報提示物（２）は赤色ブレスレットで構成され、事例２の個人情報提示物（２）は青色ブレスレットで構成され、事例３の個人情報提示物（２）はワッペンで構成されるように外観を変えておくことにて、誤った着用を防ぐことが可能となります。
例えば、事例１の赤色ブレスレットはお母さんが保持し、青色ブレスレットはお婆さんが保持し、ワッペンは子供が保持するとして、お婆さんの青色ブレスレットには２つの所定の図柄（２１）を提示する。このうち、６角形で示す図柄（２１）はお母さんも子供も同じ所定の図柄で示され、サーバへの許可コード（２３）のみ異なるものであり、これによって各々の個人情報の内容を異ならせることが可能であります。お婆さんの図柄には、例えばその地域が推進している迷子札の図柄も示し、同時に迷子札のコードも記載するなどして運用することも可能であります。
なお、サーバへの許可コードは簡単コードであれば容易にアクセス可能になるため、桁数の非常に多い暗号コードにして、これも２次元バーコードで表現することで、個人情報先案内情報（２２）用２次元バーコードとは異なる２次元バーコードを提示することも可能でありますし、先の個人情報先案内情報（２２）用２次元バーコードの中にサーバへの許可コードも埋め込んでおくと、この場合は簡単な許可コードで運用も可能であり、母さん、婆さん、子供の個人情報先案内情報（２２）用２次元バーコードは外見上同じでも細部で異なる２次元バーコードにて、その埋め込みコードと、後で入力されるサーバへの許可コード（２３）が一致するか否かを判断すれば良いので、この場合にサーバへの許可コード（２３）の桁数は少ないものであっても問題なくシステムアクセス可能となります。このような場合は、個人情報先案内情報（２２）は間接的な手法をとり、各自が身辺の別な位置を指示し、そこに簡単な許可コードを記載しておくことで、個人情報提示物（２）が誤って他人に保持されても個人情報のみは誤って開示されないとすることも出来ますし、また、個人情報先案内情報（２２）の外観を異ならせる方法のひとつとして老人施設などでは保持者の名前のみを大きく記載しておくのも可能であります。
色々誤って保持された時の対処方法はありますが、一番容易な対処方法は、色や形に拘らず、他の者の個人情報先案内情報（２２）と誤って保持しないように外観を差別化することが重要であります。
【００４０】
以上のように個人情報案内提示物（２）を各自が、その地域、団体などで運用されている所定の図柄（２１）を選択的に、または複数併記して、周囲の第３者に積極的に提示することにて、急に発生する心臓発作や各種災害や、徘徊老人や迷子の人の対処方法を考える際の助けとなり、救急医療の早期対処が可能になるという期待を、本願発明の個人情報案内提示物、および個人情報案内管理方法、個人情報案内提示システムは含んでおります。
【産業上の利用可能性】
【００４１】
本願発明の個人情報案内提示物、および個人情報案内管理方法、個人情報案内提示システムによって、個人情報提示者が持つ個人情報案内提示物（２）に、その地域、団体などで運用されている所定の図柄（２１）を選択的に、またはおよび複数併記して、周囲の第３者に積極的に提示することが可能となり、急に発生する心臓発作や各種災害や、徘徊老人や迷子の人の対処方法を考える際の助けとなり、救急医療の早期対処が可能になりますので、個人情報案内提示物（２）を多くの人が安心して保持し、色々運用されている所定の図柄を選択的に、またはおよび複数併記して効果ある図柄の啓蒙も深まると同時にIT技術の活用によって個人情報を安全にかつ最新の情報で運用提供可能となります。
【符号の説明】
【００４２】
１＝個人情報提示者
２＝個人情報案内提示物
２１＝図柄
２２＝個人情報先案内情報
２３＝サーバへの許可コード
３＝個人情報
４＝カメラつき携帯電話
５＝ネット先のサーバ
６＝操作ボタン
【図１】
2013186431.tif 000003
【図２】
2013186431.tif 000004
【図３】
2013186431.tif 000005
【図４】
2013186431.tif 000006
【図５】
2013186431.tif 000007
【図６】
2013186431.tif 000008
【図７】
2013186431.tif 000009
【図８】
2013186431.tif 000010